(57)【要約】【課題】ユーザが必要なときに必要な広告を配信可能にする広告配信システムを提供する。また、広告配信システム使用料の課金方法を明確にする。またユーザの広告対象に対する関心の傾向を広告主に提供できるようにする。【解決手段】上記課題を達成するために本発明の広告配信システムは、商品や広告対象の分類や特徴から広告コンテンツを選別する機能を設け、ユーザが必要とする広告コンテンツをダウンロードできるようにしている。また登録コンテンツの配信期間毎のコンテンツ容量や登録コンテンツのダウンロード回数に応じてシステム使用料を算出し、広告主に請求できるようにしている。また、商品や広告対象の分類や特徴毎に広告コンテンツのダウンロード回数を集計して広告主に提供できるようにしている。【選択図】　図１
2004021443.tif 000002
【特許請求の範囲】
【請求項１】
ネットワーク上に、広告コンテンツをアップロード可能なクライアントと、アップロードされた広告コンテンツを配信するサーバと、該サーバからネットワークを経由して、ユーザが必要とする広告コンテンツのみをダウンロードするクライアントからなるクライアント・サーバシステムであって、該広告コンテンツ配信サーバが提供するＷｅｂの広告コンテンツ登録画面で、広告主が分類項目、商品や広告対象の特徴を記述するキーワード、配信開始日、配信終了日などのデータを設定し、さらにアップロードする広告コンテンツファイルを添付できる広告配信システム。
【請求項２】
請求項１に記載の広告配信システムにおいて、広告主が広告コンテンツを該広告コンテンツ配信サーバに登録する際に、広告コンテンツ登録画面において、広告コンテンツごとに、
静止画版、動画版、動画・音声版などのサイズの違うバージョンに分けて、広告コンテンツを登録可能にする広告配信システム。
【請求項３】
請求項１に記載の広告配信システムであって、広告コンテンツの配信期間と広告コンテンツの容量に応じてシステム使用基本料を算出し、広告コンテンツを登録した広告主に請求する広告配信システム。
【請求項４】
ネットワーク上に、広告コンテンツをアップロード可能なクライアントと、アップロードされた広告コンテンツを配信するサーバと、該サーバからネットワークを経由して、ユーザが必要とする広告コンテンツのみをダウンロードするクライアントからなるクライアント・サーバシステムであって、該広告配信サーバに登録された広告コンテンツごとのダウンロード回数をカウントする機能を該コンテンツ配信サーバに持たせ、広告ごとの該ダウンロードの回数に基づいてシステムの使用頻度によるシステム使用料を算出し、広告コンテンツを登録している広告主に請求する広告配信システム。
【請求項５】
ネットワーク上に、広告コンテンツをアップロード可能なクライアントと、アップロードされた広告コンテンツを配信するサーバと、該サーバからネットワークを経由して、ユーザが必要とする広告コンテンツのみをダウンロードするクライアントからなるクライアント・サーバシステムであって、ＰＣ、ノートブック、携帯、ＰＤＡ（Ｐｅｒｓｏｎａｌ　Ｄｉｇｉｔａｌ　Ａｓｓｉｓｔａｎｔｓ）などのネットワーク接続機器を使って、該コンテンツ配信サーバが提供するＷｅｂの広告コンテンツ検索画面から商品や広告対象の分類項目や、商品や広告対象の特徴を記述するキーワードなどを入力することでユーザの関心のある広告コンテンツを選択してダウンロード可能にする広告配信システム。
【請求項６】
請求項５に記載の広告配信システムにおいて、ユーザが希望する広告コンテンツをダウンロードする際に、クライアント端末の記憶装置の空き容量や性能に合わせ、ユーザが各広告コンテンツごとのバージョン（静止画版、動画版、動画・音声版など）を指定して広告コンテンツをダウンロード可能にする広告配信システム。
【請求項７】
請求項１に記載の広告配信システムであって、該広告コンテンツ配信サーバに登録された広告コンテンツごとのダウンロード回数をカウントする機能を該コンテンツ管理サーバに持たせ、一定の期間ごとに、該広告配信サーバに登録されている広告コンテンツのダウンロード回数を分類別や、商品や広告対象の特徴ごとに集計して、広告コンテンツを登録している広告主に提供する広告配信システム。
【発明の詳細な説明】
【０００１】
【発明の属する技術分野】
本発明は、インターネットを利用して広告を配信する広告配信システムに関する。
【０００２】
【従来の技術】
従来、広告の実施に際しては、広告会社または広告主が広告媒体を買い取り、買い取った広告媒体に広告を記載または表示していた。広告の実施では、広告を発信する側が主導権を握っているため、ユーザが必要なときに必要な広告を入手するのは困難であった。
【０００３】
インタネットを利用するとユーザ個人の端末に広告を直接配布することが可能である。しかしながら、個人の端末で受信・記憶できる広告の量には限度があるため、すべての広告をユーザに配布することは不可能である。またユーザも、すべての広告が配信されるのを望まない。このような状況を解決するため、広告ユーザの属性（性別、年齢、居住地域など）や関心事をあらかじめ登録しておき、また、広告主が配信を希望する対象者の属性（性別、年齢、居住地域など）などを登録しておき、双方の属性が一致した場合に、該広告主が配信を希望する広告を電子メールでユーザに送信するというシステムが提案されている（『広告情報配信方法および広告情報配信システム』（特開２００１−２８２６５１））。
【０００４】
【発明が解決しようとする課題】
しかしながら、上記電子メールを利用した広告配信システムは、ユーザの属性や嗜好などを反映することができても、ユーザが欲する時に、ユーザが必要とする広告を提供することはできない。
【０００５】
また、商品や広告対象に対するユーザの関心の傾向を広告主に示す仕組みを提供していない。
【０００６】
そこで本発明は、ユーザが必要なときに必要な広告をダウンロード可能にする広告配信システムを提供する。また、広告配信システム使用料の課金方法を明確にする。また、ダウンロードされた広告の特徴を解析し、商品や広告対象に対するユーザの関心の傾向を一定の間隔で広告主に提供できるようにする。
【０００７】
尚、本発明は上記課題のうち少なくともひとつを解決するものである。
【０００８】
【課題を解決するための手段】
上記課題を達成するために本発明の広告配信システムは、ネットワーク上に、広告コンテンツをアップロード可能なクライアントと、アップロードされた広告コンテンツを配信するサーバと、該サーバから、ネットワークを経由して、ユーザが必要とする広告コンテンツのみをダウンロードするクライアントからなるクライアント・サーバシステムであって、該広告コンテンツ配信サーバが提供するＷｅｂの広告コンテンツ登録画面で、広告主が商品や広告対象の特徴を記述するキーワード、配信開始日、配信終了日などのデータを設定し、さらにアップロードする広告コンテンツファイルを添付できるようにしている。
【０００９】
また、広告主が広告コンテンツを該広告コンテンツ配信サーバに登録する際に、該広告コンテンツ登録画面において、広告コンテンツごとに、静止画版、動画版、動画・音声版などのサイズの違うバージョンに分けて、広告コンテンツを登録可能にしている。また、広告コンテンツの配信期間と容量に応じて、システム使用基本料を算出し、広告コンテンツを登録した広告主に請求するようにしている。
【００１０】
また、ＰＣ、ノートブック、携帯、ＰＤＡ（Ｐｅｒｓｏｎａｌ　Ｄｉｇｉｔａｌ　Ａｓｓｉｓｔａｎｔｓ）などのネットワーク接続機器を使って、該コンテンツ配信サーバが提供するＷｅｂの広告コンテンツ検索画面から、商品や広告対象の分類項目や、商品や広告対象の特徴を記述するキーワードなどを入力することでユーザの関心のある広告コンテンツを選択してダウンロード可能にしている。また、ユーザが必要とする広告コンテンツをダウンロードする際に、クライアント端末の記憶装置の空き容量や性能に合わせ、各広告コンテンツごとのバージョン（静止画版、動画版、動画・音声版）を指定して広告コンテンツをダウンロード可能にしている。
【００１１】
また、該広告配信サーバに登録された広告コンテンツごとのダウンロード回数をカウントする機能を該コンテンツ管理サーバに持たせ、該ダウンロードの回数に基づいてシステム使用頻度によるシステム使用料を算出し、広告コンテンツを登録している広告主に請求するようにしている。
【００１２】
また、コンテンツごとのダウンロード回数を分類別や、商品や広告対象の特徴ごとに集計し、その結果を一定の期間ごとに広告主に提供可能にしている。
【００１３】
【発明の実施の形態】
以下、本発明の実施例を図面により説明する。
図１は本発明を実施する広告コンテンツ配信システムの構成例を示す概念図である。本発明を適用する広告コンテンツ配信システムは、広告コンテンツを管理する広告コンテンツ配信サーバ１０１（尚、サーバは、広告主よりアップロードされた広告コンテンツを保存する記憶装置１０２と、ダウンロード用広告コンテンツを保存する記憶装置１０３を保持する）と、広告主が広告コンテンツをアップロードするための端末（主にＰＣ１０４）と、ユーザが広告コンテンツをダウンロードするための端末（主にＰＣ１０５、ノートＰＣ１０６、携帯１０７、ＰＤＡ（Ｐｅｒｓｏｎａｌ　Ｄｉｇｉｔａｌ　Ａｓｓｉｓｔａｎｔｓ）１０８）からなる。
【００１４】
次に図２を用いて広告主が広告コンテンツをアップロード可能にするための広告コンテンツ登録画面（広告コンテンツ配信サーバ１０１上のＷｅｂサイト）を説明する。
【００１５】
広告コンテンツ登録画面は、商品名や広告対象名を設定する項目２０１と、広告主名を設定する項目２０２と、広告コンテンツサイズを設定する項目２０３と、商品や広告対象の分類を決める分類項目２０４と、広告主が設定可能な商品や広告対象の特徴を記述するキーワードを設定する項目２０５と、登録する広告コンテンツの配信開始希望日２０６と配信終了希望日２０７を設定する項目と、商品や広告対象の小売希望価格があればその価格を設定する項目２０８と、広告コンテンツの添付設定を行う項目２０９と、上記項目で設定したデータをコンテンツ配信サーバに登録する登録ボタン２１０よりなる。
【００１６】
尚、広告コンテンツサイズの設定項目２０３では、静止画２１１、動画２１２、動画・音声２１３のタイプ毎に、各広告コンテンツのサイズを登録するようにしている（請求項２に記載の事項）。
【００１７】
次に図３を用いて、広告コンテンツ配信サーバのアップロード用記憶装置１０２にアップロードされた該広告コンテンツを該広告コンテンツ配信サーバのダウンロード用記憶装置１０３に登録する際の手続きについて説明する。
【００１８】
広告コンテンツ配信サーバ１０１は、アップロード用の記憶装置１０２に新たに広告コンテンツが登録されると、該広告コンテンツのウイルスチェックを行い（ステップ３０１）、ウイルスが検知されなければ該ウイルスチェック済みのファイルをダウンロード用記憶装置１０３にコピーし（ステップ３０２）、さらに上記広告コンテンツ登録画面で設定された該広告コンテンツに関するデータを広告コンテンツ管理テーブルに登録する（ステップ３０３）。
【００１９】
図４に広告コンテンツ管理テーブルの構成例を示す。広告コンテンツ管理テーブルは、各広告コンテンツ毎に登録順に付与さる広告コンテンツ番号４０１、商品や広告対象の名称４０２、広告主名４０３、登録コンテンツの分類４０４、コンテンツタイプ４０５、コンテンツ容量４０６、商品や広告対象の特徴を示すキーワード４０７、広告コンテンツ登録日４０８、広告主が設定した配信開始日４０９及び配信終了日４１０、一定期間ごとのダウンロード回数４１１からなる。
【００２０】
図５にシステム使用基本料の設定例を示す。システム使用基本料５０３は、登録コンテンツの配信期間５０１と各期間ごとの登録コンテンツの総量５０２により求める。すなわち、登録コンテンツにおいて、配信期間ごとに広告コンテンツの総量を算出し、システム使用基本料を求める。尚、配信期間５０１は、図４で示した広告コンテンツ管理テーブルの配信開始日４０９と配信終了日４１０に基づき算出する。
【００２１】
図６にダウンロード回数毎のシステム使用料の設定例を示す。本実施例では、ダウンロードの発生回数６０１が増える毎にシステム使用料６０２が増加するように設定した。
【００２２】
また図７に広告コンテンツ検索用画面の例を示す。広告コンテンツの検索では、商品や広告対象の分類７０１、商品や広告対象の特徴を示すキーワード７０２、商品の希望小売価格帯７０３により広告コンテンツを検索できるようにする。
【００２３】
また図８に広告コンテンツの検索結果表示用画面の例を示す。検索結果表示画面では、広告コンテンツのダウンロードを指示する項目８０１、商品や広告対象の名称８０２、商品や広告対象の特徴を示すキーワード８０３、コンテンツ容量８０４（コンテンツタイプ別（静止画版８０５、動画版８０６、動画・音声版８０７））を示す。ユーザは、ダウンロード先端末の、記憶装置の容量や性能を考慮して、各コンテンツ毎にコンテンツタイプを選択することができる。尚、リストされたコンテンツを一括して選択するボタン８０８、選択されコンテンツのコンテンツタイプを一括して選択するボタン（静止画版一括選択ボタン８０９、動画版一括選択ボタン８１０、動画・音声版一括選択ボタン８１１）も設ける。また、コンテンツの選択が行われると、随時、選択コンテンツの総容量８１２を表示する。広告コンテンツを選択した後ダウンロード開始ボタン８１３を押すと、選択された広告コンテンツが広告コンテンツ配信サーバ１０１に接続されたユーザの端末にダウンロードされる。
【００２４】
次に、図９を用いて広告コンテンツ配信サーバ１０１がユーザによって選択された広告コンテンツを配信する処理について説明する。広告コンテンツ検索結果表示画面のダウンロード開始ボタン８１３が押されると、広告コンテンツ配信サーバ１０１は選択されたコンテンツをチェックする（ステップ９０１）。
【００２５】
チェックされたコンテンツがあれば、該コンテンツ番号４０１を調べ（ステップ９０２）、該コンテンツ番号４０１に対応するダウンロード回数４１１を１加算する（ステップ９０３）。該コンテンツ番号に対応するコンテンツファイルアクセスデータを一時的に保持する（ステップ９０４）。図１０に広告コンテンツファイルアクセスデータ管理テーブルの構成例を示す。広告コンテンツファイルアクセスデータ管理テーブルは、広告コンテンツ番号１００１と広告コンテンツファイルアクセスデータ１００２よりなる。広告コンテンツファイルアクセスデータ１００２は、広告コンテンツファイルを読み出す際にトリガーとなるデータである。（広告コンテンツアクセスデータ管理テーブルには、該アップロード用記憶装置１０２から該ダウンロード用記憶装置１０３に登録広告コンテンツをコピーする際に、広告コンテンツ番号１００１と広告コンテンツファイルアクセスデータ１００２を登録しておく。）以上のステップ９０２〜ステップ９０４の処理を未処理の選択コンテンツがなくなるまで繰り返し、未処理の選択コンテンツがなくなったら（ステップ９０５）、一時的に保持しておいた該選択コンテンツのファイルアクセスデータに基づきダウンロード用記憶装置１０３から選択された該コンテンツを読み出しユーザに送信する（ステップ９０６）。
【００２６】
図１１に広告コンテンツを登録している広告主に対し一定期間毎に請求する料金の算出処理を示す。尚、以下の処理では図４で示した広告コンテンツ管理テーブルのデータを用いる。料金算出未処理の広告主があるかをしらべ（ステップ１１０１）、あれば、該広告主４０３が登録した広告コンテンツの登録日４０８に基づき、該広告主が該一定期間内に登録した広告コンテンツがあるかを調べ（ステップ１１０２）、あれば該広告主が一定期間内に登録した広告コンテンツについて、広告コンテンツ管理テーブルの配信開始日４０９と配信終了日４１０を用いて配信期間を算出し（ステップ１１０３）、配信期間毎に該登録コンテンツの総容量を算出し（ステップ１１０４）、図５の料金表を用いてシステム使用基本料を算出する（ステップ１１０５）。
【００２７】
その後、該広告主が登録している全広告コンテンツを対象にして、該一定期間中にカウントされたダウンロード回数４１１に基づき、図６に示した料金表を用いてシステム使用料を算出する（各コンテンツのシステム使用料の総和を求める）（ステップ１１０６）。最後にシステム使用基本料にシステム使用料を加算する（ステップ１１０７）。尚、本発明の広告配信システムは、電子メールを使用して、一定期間ごとにシステム使用基本料とシステム使用料を広告主に請求する。
【００２８】
次に図１２を用いて分類項目別ダウロード回数集計処理ついて説明する。尚、以下の処理では、図４で示した広告コンテンツ管理テーブルを用いることとする。未処理の分類項目があるかを調べ（ステップ１２０１）、未処理の分類項目があれば、該未処理の分類項目を１つ選択し（ステップ１２０２）、選択された分類項目の広告コンテンツをすべて抽出する（ステップ１２０３）、そして該抽出広告コンテンツのダウンロード回数をすべて加算する（ステップ１２０４）。ステップ１２０２〜ステップ１２０４までの処理を未処理の分類項目がなくなるまで繰り返す。
【００２９】
次に図１３を用いて、分類項目別でのキーワード別ダウンロード回数集計処理について説明する。尚、以下の処理では、図４で示した広告コンテンツ管理テーブルを用いることとする。未処理の分類項目があるかを調べ（ステップ１３０１）、未処理の分類項目があれば、該未処理の分類項目を１つ選択し（ステップ１３０２）、選択された分類項目の広告コンテンツをすべて抽出する（ステップ１３０３）。該抽出コンテンツにおいて、未処理のキーワードがあるかを調べ（ステップ１３０４）、未処理のキーワードがあれば、該抽出広告コンテンツを対象にして未処理のキーワードを選択し（ステップ１３０５）、選択されたキーワードをもつ広告コンテンツをすべて抽出し（ステップ１３０６）、該抽出広告コンテンツのダウンロード回数をすべて加算する（ステップ１３０７）。上記ステップ１３０５〜１３０７の処理を該選択した分類項目においての未処理のキーワードがなくなるまで繰り返す。さらに、未処理の分類項目がなくなるまで、ステップ１３０１〜ステップ１３０７までの処理を繰り返す。
【００３０】
次に図１４を用いてユーザ分析結果表示用画面の例について説明する。広告コンテンツ配信サーバ１０１は、商品や広告対象の分類項目毎に一定期間内のダウンロード回数の総数を集計し、Ｗｅｂで広告主に公開する（１４０１）。また分類項目毎に、商品や広告対象の特徴別ダウンロード回数を集計し、Ｗｅｂで広告主に公開する（１４０２）。尚、該集計結果は、排他制御を行うことにより広告コンテンツ配信サーバ１０１に広告コンテンツを登録した広告主だけが見られるようにする。また、一定期間ごとに、広告コンテンツのダウンロード回数を広告コンテンツの特徴別に集計し、その結果を公開することで、広告主に広告対象に対するユーザの関心の傾向を提供することができる。
【００３１】
本発明は、上述の実施の形態に限定されるものではなく、適用分野に関わらず、要旨を逸脱しない範囲で変更し実施し得ることは述べるまでもない。
【００３２】
例えば、本発明で対象とする情報は広告に限られるものでなく、他の種々の情報をも含むものとする。
【００３３】
【発明の効果】
本発明の広告配信システムによれば、Ｗｅｂの広告コンテンツ検索画面から商品や広告対象の特徴を入力することにより必要な広告を好きな時に端末にダウンロードして見ることができる。また、登録コンテンツの配信期間毎のコンテンツ容量や登録コンテンツのダウンロード回数に応じてシステム使用料を算出し広告主に請求することができる。
【図面の簡単な説明】
【図１】本発明を適用する広告配信システムの構成例を示す図。
【図２】広告コンテンツ登録画面の例を示す図。
【図３】広告コンテンツ登録処理を示すフローである。
【図４】広告コンテンツ管理テーブルの構成例を示す図
【図５】システム使用基本料の設定例を示す図。
【図６】ダウンロードの頻度によるシステム使用料の設定例を示す図。
【図７】広告コンテンツ検索用画面の例を示す図。
【図８】広告コンテンツ検索結果表示用画面の例を示す図。
【図９】広告コンテンツ配信処理を示すフローである。
【図１０】広告コンテンツファイルアクセスデータ管理テーブルの構成例を示す図。
【図１１】システム使用料を算出する処理を示すフローである。
【図１２】分類項目別ダウンロード回数集計処理を示すフローである。
【図１３】分類項目別でのキーワード別ダウンロード回数集計処理を示すフローである。
【図１４】ユーザ分析結果表示用画面の例を示す図。
【符号の説明】
１０１：広告コンテンツ配信サーバ
１０２：アップロード用記憶装置
１０３：ダウンロード用記憶装置
１０４：ＰＣ（アップロード用端末）
１０５：ＰＣ（ダウンロード用端末）
１０６：ノートＰＣ（ダウンロード用端末）
１０７：携帯（ダウンロード用端末）
１０８：ＰＤＡ（　Ｐｅｒｓｏｎａｌ　Ｄｉｇｉｔａｌ　Ａｓｓｉｓｔａｎｔｓ）（ダウンロード用端末）
【図１】
2004021443.tif 000003
【図２】
2004021443.tif 000004
【図３】
2004021443.tif 000005
【図４】
2004021443.tif 000006
【図５】
2004021443.tif 000007
【図６】
2004021443.tif 000008
【図７】
2004021443.tif 000009
【図８】
2004021443.tif 000010
【図９】
2004021443.tif 000011
【図１０】
2004021443.tif 000012
【図１１】
2004021443.tif 000013
【図１２】
2004021443.tif 000014
【図１３】
2004021443.tif 000015
【図１４】
2004021443.tif 000016